(57)【要約】  本発明は、装置に実装されるユーザインタフェースであって、前記装置は、放送局から放送信号を受信するためのチューナ及び受信器を有する、ユーザインタフェースに関する。該ユーザインタフェースは、前記受信された放送信号に関連する意味的情報を利用して、並べ替え基準に基づいて前記受信された放送局を並べ替え、前記並べ替えられた放送局をディスプレイに表示する。
2009503639.tif 000002
【特許請求の範囲】
【請求項１】
装置に実装されるユーザインタフェースであって、前記装置は、放送局から放送信号を受信するためのチューナ及び受信器を有し、前記ユーザインタフェースは、前記受信された放送信号に関連する意味的情報を利用して、並べ替え基準に基づいて前記受信された放送局を並べ替え、前記並べ替えられた放送局を表示するように構成され、前記ユーザインタフェースは、
前記意味的情報を受信するため前記受信器と通信するための通信ユニットと、
前記意味的情報を利用して、前記受信された放送局を並べ替え、前記並べ替えの結果をディスプレイに表示するための、前記並べ替え基準に基づいて動作するプロセッサと、
を有するユーザインタフェース。
【請求項２】
表示された放送局をユーザが選択することを可能とするための手段を更に有し、前記放送局を選択することにより、前記プロセッサが、前記選択された放送局に関連する周波数に同調させるように前記チューナと通信する、請求項１に記載のユーザインタフェース。
【請求項３】
前記並べ替え基準を示すユーザからの入力を受信するための入力手段と、前記ユーザからの前記受信された入力を保存するためのメモリとを更に有する、請求項１又は２に記載のユーザインタフェース。
【請求項４】
前記メモリは更に、前記放送局からのコンテンツを保存するように構成された、請求項３に記載のユーザインタフェース。
【請求項５】
前記プロセッサは更に、選択された放送局の信号が、例えば放送範囲の外にある又は前記選択された放送局が現在ユーザが選択したタイプのコンテンツを送信していないといった特定の基準を満たさない場合に、前記選択された放送局に関連する保存されたコンテンツの再生を開始するように構成された、請求項１乃至４のいずれか一項に記載のユーザインタフェース。
【請求項６】
前記表示された放送局のうち２つ以上をユーザが選択することを可能とするための手段を更に有する、請求項１乃至５のいずれか一項に記載のユーザインタフェース。
【請求項７】
前記プロセッサは更に、前記２つ以上の選択された放送局からのコンテンツセグメントの再生を、該コンテンツセグメントが再生の間オーバラップしないように整理するように構成された、請求項６に記載のユーザインタフェース。
【請求項８】
前記表示された放送局をユーザが選択することを可能とするための手段は、前記ディスプレイに含まれたタッチスクリーン機能を有する、請求項６に記載のユーザインタフェース。
【請求項９】
前記装置によって再生される更なるコンテンツを受信し、前記コンテンツを更なる偽の放送局として含めるための手段を更に有する、請求項１乃至８のいずれか一項に記載のユーザインタフェース。
【請求項１０】
装置に実装されるユーザインタフェースにおいて実行される方法であって、前記装置は、放送局から放送信号を受信するためのチューナ及び受信器を有し、前記ユーザインタフェースは、前記受信された放送信号に関連する意味的情報を利用して、並べ替え基準に基づいて前記受信された放送局を並べ替え、前記並べ替えられた放送局を表示するように構成され、前記方法は、
前記意味的情報を受信するため前記受信器と通信するステップと、
前記意味的情報を利用して、前記受信された放送局を並べ替え、前記並べ替えの結果をディスプレイに表示するステップと、
を有する方法。
【請求項１１】
前記放送局はラジオ放送局又はＴＶ放送局を有する、請求項１０に記載の方法。
【請求項１２】
前記意味的情報は、
前記放送局のＲＤＳコールサインと、
放送される音楽の１分当たりの拍数と、
前記放送局により示されるＲＤＳジャンルと、
ディジタルオーディオ放送番組ガイド情報と、
から成る情報の群からの情報を有する、請求項１０又は１１に記載の方法。
【請求項１３】
ユーザが前記並べ替え基準を選択することを可能とするステップを更に有する、請求項１０乃至１２のいずれか一項に記載の方法。
【請求項１４】
前記表示された放送局のうち１つ以上をユーザが選択することを可能とするステップを更に有する、請求項１０乃至１３のいずれか一項に記載の方法。
【請求項１５】
請求項１０乃至１４のいずれか一項に記載の方法を処理ユニットに実行させるための命令が保存されたコンピュータ読み取り可能な媒体。
【発明の詳細な説明】
【技術分野】
【０００１】
本発明は、装置に実装されるユーザインタフェース及び該ユーザインタフェースにおいて実行される方法であって、前記装置は、放送局から放送信号を受信するためのチューナ及び受信器を有し、前記ユーザインタフェースは、前記受信された放送信号に関連する意味的情報を利用して、並べ替え基準に基づいて前記受信された放送局を並べ替え、前記並べ替えられた放送局を表示するように構成されるユーザインタフェース及び方法に関する。
【背景技術】
【０００２】
従来のラジオより、ラジオ局の名前及び／又はどこから該ラジオ局が放送しているかを示す場所を、ユーザインタフェースに表示することは知られている。幾つかの近代の車においては、１よりも多いラジオ局の名前を画面上に表示するための大型のタッチスクリーンをラジオが有する。
【０００３】
欧州特許出願公開EP-A-95564は、操作パネルにおいて、番組表示面と、表示される番組を選択するための該番組表示面に関連する選択キーとを有する、直接番組選択を持つモバイル型ラジオ受信器、とりわけカーラジオ受信器を開示している。ラジオ受信器の種々の位置において受信可能な複数のラジオ番組を表示する、小型の適切に配置された操作パネルを得るために、交換可能な番組表示が番組表示面に再生され得る。該交換可能な番組は、現在の受信器の位置において、例えば所定の受信電界強度のような所定の受信基準を満たす受信品質を持つ局により送信される番組の最新の選択を表示する。
【０００４】
米国特許US6,134,426は、１つのチューナのみが利用可能であり、ユーザインタフェースのサイズが非常に限られる場合に、操作パネルの斯かる縮小をどのように動的に実現するかの好適な方法を開示している。
【発明の開示】
【発明が解決しようとする課題】
【０００５】
これらの引用例は共に、受信可能な放送局の可視性に焦点を当てており、受信可能な放送局を表示する際に並べ替え基準として伝送周波数のみを利用している。このため、１つの放送局が幾つかの伝送周波数を用いて放送している場合に、当該１つの放送局が同一のディスプレイに何度も表示されてしまうという状況が起こり得る。
【０００６】
それ故、よりユーザ志向の、前記放送局の選択から並べ替えの際に伝送周波数の他の並べ替え基準を利用する、例えばカーラジオに実装されるユーザインタフェースに対するニーズがある。
【０００７】
本発明の目的は、受信可能な放送局及び放送コンテンツの並べ替えを実行するために、放送信号に関連する意味的（semantic）情報を利用し、該並べ替えの結果をディスプレイに表示する、カーラジオ及びＴＶのリモートコントローラのような装置に実装されるユーザインタフェースを提供することにより、上述の問題を解決することにある。
【課題を解決するための手段】
【０００８】
一態様によれば、本発明は、装置に実装されるユーザインタフェースであって、前記装置は、放送局から放送信号を受信するためのチューナ及び受信器を有し、前記ユーザインタフェースは、前記受信された放送信号に関連する意味的情報を利用して、並べ替え基準に基づいて前記受信された放送局を並べ替え、前記並べ替えられた放送局を表示するように構成され、前記ユーザインタフェースは、
前記意味的情報を受信するため前記受信器と通信するための通信ユニットと、
前記意味的情報を利用して、前記受信された放送局を並べ替え、前記並べ替えの結果をディスプレイに表示するための、前記並べ替え基準に基づいて動作するプロセッサと、
を有するユーザインタフェースに関する。
【０００９】
このようにして、該ユーザインタフェースはもはや周波数軸に結合されず、このことは前記局の伝送周波数とは独立した受信放送局の前記並べ替えを可能とする。それ故、並べ替えは伝送周波数ではなく意味的情報に基づくため、例えば２つの周波数を用いて放送信号を送信する１つの放送局は、一度のみ表示されることとなることを確実にする。またこのことは、並べ替えの可能性を著しく拡張し、例えば放送局のタイプ（「ジャズ」、「ロック」、「テクノ」等）、放送局の名前（アルファベット順による並べ替え）、１分当たりの拍数等に基づいてのように、種々の並べ替え基準を可能とする。前記放送局は例えば、ラジオ放送局、ＴＶ放送局、インターネット放送局等であっても良く、前記装置は例えば、カーラジオ、ＴＶのリモートコントローラ、ＰＤＡ等を有しても良い。
【００１０】
一実施例においては、前記ユーザインタフェースは更に、表示された放送局をユーザが選択することを可能とするための手段を有する。前記手段は例えば、ユーザが触れることにより又は音声信号を介して前記表示された放送局を選択することができるように、前記ディスプレイに含まれるタッチスクリーン機能又は音声認識システムを有しても良い。
【００１１】
一実施例においては、前記ユーザインタフェースは更に、前記並べ替え基準を示すユーザからの入力を受信するための入力手段と、前記ユーザからの前記受信された入力を保存するためのメモリとを有する。このことは、前記ユーザインタフェースを更にユーザフレンドリなものとする。なぜなら、ユーザ自身が、どの並べ替え基準を選択するかを決定することができるからである。
【００１２】
一実施例においては、前記メモリは更に、前記放送局からの放送コンテンツを保存するように構成される。このようにしてユーザは、選択された放送局がもはや放送範囲にない場合であっても、又は選択されたタイプ（例えばジャンル「スムーズジャズ」の音楽）のコンテンツを現在は送信していない場合であっても、当該放送局を聴くことが可能となる。このことは、保存されたコンテンツに基づき、ユーザが例えば該ユーザが好きなラジオ局を聴取し続けることを可能とする。
【００１３】
一実施例においては、前記プロセッサは更に、選択された放送局の信号が、例えば放送範囲の外にある又は前記選択された放送局が現在ユーザが選択したタイプのコンテンツを送信していないといった特定の基準を満たさない場合に、前記選択された放送局に関連する保存されたコンテンツの再生を開始するように構成される。それ故、ユーザが例えば聴取するラジオ局を選択し、幾分かの時間の後に該ラジオ局が範囲外になった場合又は放送コンテンツを変更した場合、ライブのコンテンツが保存されているコンテンツ（例えば１分当たりの拍数が１００未満の音楽）に自動的に切り替えられる。このことをユーザが気付きさえしないことも可能である。
【００１４】
一実施例においては、前記ユーザインタフェースは更に、前記表示された放送局のうち２つ以上をユーザが選択することを可能とするための手段を有する。このようにして、ユーザは例えば、触れる／押下することにより又は音声コマンドを介して、種々のタイプのコンテンツのために種々の放送局を選択することができ、またこのようにして、或る放送周波数が他の放送周波数を遮ることなく、ユーザの放送局の選択をカスタマイズすることができる。
【００１５】
一実施例においては、前記プロセッサは更に、前記２つ以上の選択された放送局からのコンテンツセグメントの再生を、該コンテンツセグメントが再生の間オーバラップしないように整理するように構成される。このようにして、ユーザが前記局を選択した場合、例えばニュースが曲の間にのみ再生されることとなる。例えば、該ユーザインタフェースがカーラジオに実装されている場合、ユーザは１つの音楽局と１つのニュース局とを選択しても良い。これにより、ニュースと音楽とが異なる局から受信されることができ、局は２つの異なる放送網に属していても良いという利点が与えられる。
【００１６】
一実施例においては、前記表示された放送局をユーザが選択することを可能とするための手段は、前記ディスプレイに含まれたタッチスクリーン機能を有する。このようにしてユーザは、例えばラジオ局（該ユーザインタフェースがカーラジオに実装される場合）又はＴＶ局（該ユーザインタフェースがＴＶのリモートコントローラに実装される場合）のような放送局を、非常に快適な方法で選択することができる。好ましくは、カーラジオ又はＴＶのリモートコントローラにおける場合において、前記ディスプレイは前記装置に含まれる。
【００１７】
一実施例においては、前記ユーザインタフェースは更に、前記装置によって再生される更なるコンテンツを受信し、前記コンテンツを更なる偽の放送局として含めるための手段を有する。このようにして、特定の時点においてカーラジオにより再生されることができる全ての聴取可能コンテンツが、該ユーザインタフェースに一目で表示され得る。該コンテンツには、放送局からの記録されたコンテンツ、ＣＤ（チェンジャ）からの音楽、及び車内に存在する携帯型装置からの音楽を含む。該コンテンツは好ましくは、例えばジャンル又は局の名前（ＣＤチェンジャは「ＣＤチェンジャ」のような「偽の」局名を付与される）により、ユーザが選択の概観を維持することが可能となるように提示される。例えば、ユーザがクラシック音楽の分野におけるラジオ局に同調し、該ユーザの携帯型の音楽装置には同調していない状況が起こり得る。斯かる状況においてユーザは、該ユーザの携帯型装置のクラシック音楽を、クラシック音楽のセクションにおいて「携帯型装置」として見出すことが可能である。「偽の局」は、ジャンル表示において、「ライブ」の局の複数回の出現を許容しないユーザインタフェースにおいても、一度よりも多く出現しても良いことは留意されるべきである。
【００１８】
他の態様によれば、本発明は、装置に実装されるユーザインタフェースにおいて実行される方法であって、前記装置は、放送局から放送信号を受信するためのチューナ及び受信器を有し、前記ユーザインタフェースは、前記受信された放送信号に関連する意味的情報を利用して、並べ替え基準に基づいて前記受信された放送局を並べ替え、前記並べ替えられた放送局を表示するように構成され、前記方法は、
前記意味的情報を受信するため前記受信器と通信するステップと、
前記意味的情報を利用して、前記受信された放送局を並べ替え、前記並べ替えの結果をディスプレイに表示するステップと、
を有する方法に関する。
【００１９】
一実施例においては、前記放送局は、ラジオ放送局又はＴＶ放送局を有する。
【００２０】
一実施例においては、前記意味的情報は、
前記放送局のＲＤＳコールサインと、
放送される音楽の１分当たりの拍数と、
前記放送局により示されるＲＤＳジャンルと、
ディジタルオーディオ放送（ＤＡＢ）番組ガイド情報と、
から成る情報の群からの情報を有する。
【００２１】
一実施例においては、前記方法は更に、前記並べ替え基準をユーザが選択することを可能とするステップを有する。
【００２２】
一実施例においては、前記方法は、前記表示された放送局のうち１つ以上をユーザが選択することを可能とするステップを更に有する。このようにして、ユーザは、該ユーザの放送局の選択をカスタマイズすることができる。
【００２３】
本発明は更に、処理ユニットに前記方法を実行させるための命令が保存されたコンピュータ読み取り可能な媒体に関する。
【００２４】
本発明のこれらの及び他の態様は、以下に説明される実施例を参照しながら説明され明らかとなるであろう。
【発明を実施するための最良の形態】
【００２５】
以下、本発明の好適な実施例が、図面を参照しながら説明される。
【００２６】
図１は、例えばリモートコントローラ１１９、ＰＤＡ１１８又はモバイル電話のようなモバイル装置、及びカーラジオ１１７のような装置に実装される、本発明によるユーザインタフェース１００を示す。本発明によれば、ユーザインタフェース１００は、放送局から放送され、前記装置１１７乃至１１９による受信された放送信号から、意味的情報１０９乃至１１１を利用して、前記局又は前記局により受信されたコンテンツを並べ替え、該並べ替えの結果を装置１１７乃至１１９に含まれるディスプレイ１１３乃至１１６に表示する。前記放送局は例えば、ラジオ局１０６、インターネット局１０７及びＴＶ局１０８であっても良い。従って、装置１１７乃至１１９は、前記放送信号の周波数範囲に同調するためのチューナと、前記放送信号を受信するための受信器とを備える必要がある。前記意味的情報は、同一の放送チャネルを介して伝送されても良いし、又は例えば他の放送局若しくはインターネットサイトのような別個の放送チャネルを介して放送されても良い。
【００２７】
例えば、ユーザインタフェース１００がカーラジオ１１７に実装される場合、並べ替え基準の１つは、全ての受信されたラジオ局をアルファベット順に並べ替えることであっても良く、このようにして、チューニングバーを水平軸の周波数から分離しても良い。また、ユーザインタフェース１００がリモートコントローラに実装される場合には、並べ替え基準の１つは、受信されたＴＶ局をアルファベット順に又はコンテンツ（例えば「ニュース」、「映画」、「ＴＶショップ」等）に基づいて並べ替えることを有しても良く、該リモートコントローラに含まれるディスプレイ１１４に該並べ替えを表示しても良い。
【００２８】
本発明の一実施例によれば、ユーザインタフェース１００は、前記並べ替え基準を示すユーザ１１２からの入力を受信するための入力手段（Ｉ＿Ｍ）１０２と、選択される並べ替え基準を保存するためのメモリ１０４と、受信された放送局から意味的情報１０９を受信するための装置１１７乃至１１９と通信するための通信ユニット（Ｃ＿Ｕ）１０１と、前記並べ替えを実行するために意味的情報１０９乃至１１１を処理するためのプロセッサ（Ｐ）１０３と、を有する。プロセッサ（Ｐ）１０３は更に、前記並べ替えの結果を表示するためにディスプレイ１１３乃至１１６を制御するように構成される。通信ユニット（Ｃ＿Ｕ）１０１は、Ｉ２Ｃバスコントローラ、ＣＡＮバスコントローラ又はＵＰｎＰコントロールポイント／レンダラ（point/renderer）を有しても良い。
【００２９】
好適な実施例においては、ディスプレイ１１３乃至１１６は、ユーザ１１２が１以上の放送局を選択することを可能とするためのタッチスクリーン機能を有し、プロセッサ（Ｐ）１０３が更に、例えば表示されたラジオ局を選択する際にディスプレイ上の「タッチボタン」を触れることによる、ユーザ１１２からのコマンドを受信するように構成される。
【００３０】
一実施例においては、入力手段（Ｉ＿Ｍ）１０２は、受信可能な放送局の完全なリストを受信するように通信ユニット（Ｃ＿Ｕ）１０１に命令するように構成され、次いで装置１１７乃至１１９に含まれるチューナ及び受信器において利用可能な局を探す走査を作動させる。他の実施例においては、チューナ及び受信器が、利用可能な局の受信可能な周波数範囲を自律的且つ継続的に監視し、利用可能な局における何らかの変化を、ユーザインタフェースの通信ユニット（Ｃ＿Ｕ）１０１に報告するように構成される。例えば、ＵＰｎＰコントロールポイント／レンダラの場合、前記入力手段は、放送受信手段から通信ユニット（Ｃ＿Ｕ）１０１を介して、受信可能な放送局１０６乃至１０８の完全なリストを一度（典型的には電源投入時）要求し、次いで、再び通信ユニット（Ｃ＿Ｕ）１０１を介して、データに遅れをとらないように、局の利用可能性の変化についての最新情報に書き込む。
【００３１】
意味情報１０９乃至１１１は例えば、局１０６乃至１０８のＲＤＳコールサイン、局１０６乃至１０８により現在放送されている音楽の１分当たりの拍数（プロセッサ（Ｐ）１０３又は放送受信手段に接続されたプロセッサにより決定されても良い）、局１０６乃至１０８により示されるＲＤＳジャンル、又はディジタルオーディオ放送（ＤＡＢ）番組ガイド情報を有しても良い。
【００３２】
入力手段１０２は、例えば前記ディスプレイ１１３乃至１１６に含まれるタッチスクリーン機能を有しても良く、ユーザ１１２が、単に表示された選択基準に触れることにより、並べ替え基準を選択しても良い。ラジオ１７に含まれる通常の押しボタン機能や、音声コマンドを介してユーザ１１２が前記並べ替え選択を為すことができる音声認識システムのような、他の種類の入力手段１０１も本質的に可能である。
【００３３】
好適な実施例においては、前記メモリ１０４は更に、音楽のような放送コンテンツを保存するように構成される。放送コンテンツを保存することにより得られる結果は、ユーザインタフェース１００が、１以上のラジオ局１０６から音楽を収集し、それにより、例えば特定の時点において前記放送局１０６が選択された音楽ジャンルを放送していないとき又は放送範囲の外にあるとき（例えばユーザ１１２が該ユーザの車で外国を旅行しているとき）に、ユーザ１１２が前記保存された音楽を再生することを可能とすることである。従って、ユーザインタフェース１００は、選択されたラジオ局がもはや放送範囲にない場合又は所望のタイプのコンテンツを現在放送していない場合に、該選択されたラジオ局の予め保存された音楽に自動的に切り替えるように構成されることさえも可能である。
【００３４】
図２は、カーラジオ１１７における図１によるユーザインタフェース１００の実装例を示す。タッチスクリーンディスプレイ１１６は、ＲＤＳ名によりアルファベット順に並べ替えられた、幾つかのボタン２０１によりマークされた幾つかのラジオ局を表示する。局を選択するため、ユーザ１１２は、該ユーザの指２０３を表示されたボタン２０１の１つの上に置いても良く、その結果、チューニングバー２０４が選択されたボタン２０１（即ちラジオ局）に移動する。
【００３５】
代替として、ユーザ１１２は、該ユーザの指２０３をディスプレイ１１６上を移動させても良く、その結果、チューニングバーが該ユーザの指２０３を追従し、選択されたボタンに関連する局に同調する。
【００３６】
一実施例においては、特定の時点においてカーラジオ１１７により再生されることができる全ての可聴のコンテンツが、ユーザインタフェース１００に一目で表示される（ライブ放送局、放送局からの記録されたコンテンツ、ＣＤ（チェンジャ）からの音楽、車内に存在する携帯型装置からの音楽等を含む）。該コンテンツは好ましくは、例えばジャンルによって又は局の名前（ＣＤチェンジャは「ＣＤチェンジャ」のような「偽の」局の名前を与えられる）によって、選択の概観をユーザ１１２が維持することを可能とするように提示される。例えば、ユーザ１１２がクラシック音楽の分野におけるラジオ局に同調し、該ユーザの携帯型の音楽装置には同調していない状況が起こり得る。斯かる状況においてユーザ１１２は、該ユーザの携帯型装置のクラシック音楽を、携帯型音楽装置が偽の局即ち例えば「携帯型装置」として見えるような態様で、クラシック音楽のセクションにおいて見出すことが可能である。「偽の局」は、ジャンル表示において、「ライブ」の局の複数回の出現を許容しないユーザインタフェースにおいても、一度よりも多く出現しても良いことは留意されるべきである。
【００３７】
「more」ボタン２０２に触れることにより、後続するラジオ局が再生される。このようにしてユーザ１１２は、例えば全ての利用可能なラジオ局のリストを「スクロール」することができる。全ての局が一目で可視である場合には、「more」ボタン２０２は、選択処理を容易化するためのユーザインタフェースを考慮して、「ズームされた」状態においてのみ出現するように構成されても良い。
【００３８】
一実施例においては、表示されたボタン２０１のうちの１つに対する指２０３の軽い押下が、該指が指している局へ一時的に同調させ、指２０３を離すことが、以前の局へと再び同調させる。
【００３９】
一実施例においては、表示されたボタン２０１のうちの１つに対する強い押下が、該ボタンに関連するラジオ局の周波数へ永続的に同調させる。即ち、指２０３を離すことによっても、該周波数は同調させられたままである。
【００４０】
一実施例においては、低解像度のディスプレイの場合において、移動する指２０３の下の局の名前を拡大するための拡大機能が利用される。例えば、ラジオ局の最初の３文字のみが示される場合、指２０３がディスプレイ１１４に近い（まだ触れていない）と検出されたときに、該指の下にある局が完全に表示される（例えば、「Acc」が「Accent FM」２０５になる）。
【００４１】
図３は、カーラジオ１１７における図１によるユーザインタフェース１００の他の実装例を示す。ここでは、タッチスクリーンディスプレイ１１６が４つのチューニングバー即ちカテゴリ３０１乃至３０４を有し、カテゴリ３０１乃至３０４のそれぞれは特定のトピックにより特徴付けられる。ここで示されるように、該カテゴリはニュース（Ｎｅ．）３０５、音楽（Ｍｕ．）３０６、トーク（Ｔａ．）３０７及び交通情報（Ｔ＿Ｉ）３０８である。このことは、ユーザ１１２がトピックに関して該ユーザのラジオ又はコンテンツをパーソナライズすることを可能とする。ここで示されるように、ユーザ１１２は例えば、「ニュース」カテゴリから１つの局（Ｂｏｎ．Ｒｅｄ．）３０９を選択し、「音楽」カテゴリから１つの局（Ｈ．ｒａｄ）３１０を選択し、「交通情報」カテゴリから１つの局（ＮＯＳ．Ｒａｄ．１）３１１を選択しても良い。ここで垂直軸３１２乃至３１４として示されるチューニング軸は、ユーザ１１２がどの選択を為したかをグラフィカルに示すために実装され得る。
【００４２】
一実施例においては、音楽カテゴリは、例えば車のＣＤチェンジャ又は車のオーディオシステムに無線で（例えばBluetooth（登録商標）を介して）接続された携帯型ＭＰ３プレイヤのような、ライブの放送局に対する代替の音楽供給源を含む。これら代替の供給源はこのとき、ユーザインタフェースの音楽カテゴリセクションにおいて該供給源の名前によりリスト表示（例えば「ＣＤチェンジャ」や「携帯型装置」として）されても良い。このことは、ユーザ１１２が該ユーザの個人的な音楽をライブのコンテンツとインタリーブすることができるという利点に帰着する。例えば、単に音楽カテゴリにおいて「ＣＤチェンジャ」を選択し、ニュースカテゴリにおいて毎時間のニュースを伴う局を選択することにより、通勤中にチェンジャから該ユーザのＣＤコレクションを聴きながら、毎時間のニュース最新情報を受信することができる。この場合において、他の全てのカテゴリはディスエーブルにされる。
【００４３】
好適な実施例においては、ユーザインタフェース１００は、或るカテゴリの再生が他のカテゴリによって遮られないように、選択されたカテゴリの再生を整理するように構成される。例えば、ユーザインタフェース１００は、曲の間にのみニュースが再生されるように予めプログラムされる。従って、曲が再生されている間にニュースが送信された場合には、該ニュースはメモリ（例えばメモリ１０４）に保存され、該曲の後に再生される。
【００４４】
一実施例においては、ユーザ１１２は、該ユーザの好むラジオ局１０６のセットを聴取する又は観る（該ユーザインタフェースがＴＶのリモートコントローラにおいて利用される場合）ように選択することができる。例えば、ユーザ１１２が３つのラジオ局３０９乃至３１１を選択した場合、該選択は更に、これら曲の放送コンテンツが記録されるべきであることを示し、これら好む局が可視のままとされ、それ故カーラジオがこれら局の放送範囲の外にある場合であっても該ユーザインタフェースにおいて選択可能である。記録されたコンテンツは、１以上のこれら局が放送範囲の外となったときに再生される。このようにして、ユーザはライブの交通ニュース（ＮＯＳ．Ｒａｄ．１（３１１）は放送範囲内にある）を聴きつつも、記録された音楽（Ｈ．ｒａｄ（３１０）は放送範囲の外にある）を聴くことができる。他の実施例においては、例えば好むラジオ局のうちの１つが範囲の外にある場合、ユーザインタフェース１００は自動的に、放送範囲内にある同様の特徴を持つ他のラジオ局を選択する。例えば、ユーザ１１２が、範囲の外にあるジャズのラジオ局を選択した場合、ユーザインタフェース１１０が、放送範囲内にある新たなジャズの局を選択する。新たなラジオ局への該自動切り換えは、十分な記録コンテンツが利用可能でない（例えば２つの曲しか音楽局Ｈ．ｒａｄ（３１０）から記録されていない）場合、又は好むラジオ局（の全て）を記録する記憶容量又はチューナの不足がある場合に、ユーザインタフェース１００が新たな類似のラジオ局を選択する、といった所定の基準に基づくものであっても良い。このように、前記所定の基準は例えば、少なくとも５０個の曲が記録されている必要がある、といったものであっても良い。
【００４５】
加えて、種々の媒体（例えばアナログＦＭラジオ、アナログＡＭラジオ、ディジタル衛星ラジオ、ディジタル地上波ラジオ（例えばＤＡＢ）又はインターネットラジオ）により放送するラジオ局１０６のコンテンツは、これら種々の媒体を利用して記録されても良い。このことは、以下の利点に帰着する：
【００４６】
（１）装置に含まれる種々の利用可能なチューナ受信器に、同調負荷を分散することが可能である。例えば、カーラジオ１１７は２つのアナログＦＭチューナとＤＡＢチューナとを有する。ユーザ１１２は、既に２つの好むラジオ局を選択しており、更にアナログＦＭチューナを介してのみ受信することができる第３の好む局を選択するとする。意味的情報１０９乃至１１１により、ユーザインタフェース１００は、以前に選択されている好む局の一方がＤＡＢを介しても受信されることができるか否かを確認し、受信できる場合には、該曲の記録をＤＡＢチューナに経路変更し、新たな好む局の記録のために１つのチューナを利用可能とする。
【００４７】
（２）好む局の記録されたコンテンツを、長距離放送により補完し、ライブキャラクタを長距離に維持することが可能である。例えば、カーラジオのユーザ１１２が、オランダの特定の局を該ユーザの好む局として既に選択しているとする。ユーザ１１２がオランダで運転していたときに、該局からのコンテンツが記録され保持されている。ここで、ユーザ１１２が該ユーザの車でスペインでの休暇に出掛ける。該好むラジオ局はスペインではライブで受信できないが、該好むラジオ局のニュースは、インターネット上の該局のウェブサイトからダウンロードされることができる。該カーラジオの同調・受信手段はＷｉＦｉモジュールを有しているため、カーラジオ１１７は、ＷｉＦｉホットストップ（hot stop）内に位置するたびに、該好むチャネルの最新のニュースをダウンロードする。このようにして、ユーザ１１２は、該ユーザの好むラジオ局からの実際のコンテンツを楽しむことができ、局の範囲はこのようにして拡大される。上述のシナリオ（２）は、個人向けの目標を絞ったコマーシャルを提供するためにも適応され得ることが、言及され得る。
【００４８】
他の実施例においては、ユーザインタフェース１００は、個人向けラジオサービスのために利用される。斯かる場合においては、前記並べ替えは、図２に示されたものと同様の方法でディスプレイに表示される「ブロック」又はボックスに、ラジオコンテンツを並べ替えることを有する。ここで各ブロックはプレイリストを有する。該並べ替えは例えば、１分当たりの拍数（コンテンツが音楽である場合）又は音楽カテゴリ（例えば「モダンジャズ」、「クラシックジャズ」、「テクノ」及び新たなカテゴリ等）に基づくものであっても良い。選択されたブロックはそれ故、ラジオ局の周波数へのマッピングを有さない。代わりに、選択されたブロックは、再生されるべき特定のプレイリストへのマッピングを有する。該コンテンツは、ローカルの記憶装置（例えばＨＤＤ）から供給されるか、又はネットワーク（例えばＵＭＴＳ、ＸＭラジオ、Siriusラジオ又はインターネット）を介して供給される。
【００４９】
図４は、上述したタイプの装置１１７乃至１１９に実装されるユーザインタフェース１００において実行される、本発明による方法を示す。前記装置は、放送局からの放送信号を受信するためのチューナ及び受信器を有する。前記方法によれば、前記ユーザインタフェースは、受信された放送信号からの意味的情報を受信（Ｒ＿Ｓ＿Ｉ）する（４０２）ため、前記装置と通信（Ｃ）する（４０１）。該受信された意味的情報は次いで、並べ替え基準に基づいて放送局を並べ替える（Ｓ＿Ｂ＿Ｓ）ために利用される（４０３）。ここで該並べ替え基準は、固定された基準であっても良いし、又はユーザインタフェース１００のユーザ１１２により選択された基準であっても良い。固定された基準は例えば、ＲＤＳコールサインに基づいて受信されたラジオ局をアルファベット順に常に並べ替えること、放送局により示されたＲＤＳジャンルに基づいて並べ替えること、又は放送された音楽コンテンツの１分当たりの拍数に基づいて並べ替えることを有しても良い。最後に、該並べ替えの結果がディスプレイ１１３乃至１１６においてユーザ１１２に対して表示（Ｄ）される（４０４）。該ディスプレイは典型的には、前記装置１１７乃至１１９に含まれるディスプレイであり、好ましくはタッチスクリーンディスプレイを有する。
【００５０】
好適な実施例においては、ユーザインタフェース１００は更に、前記表示された並べ替えからユーザが１以上の放送局１０６乃至１０８を選択する（Ｓ＿Ｄ＿Ｓ）ことを可能とする（４０５）ように構成される。これにより、放送局がラジオ放送局である場合、前記ユーザインタフェースに含まれるプロセッサが、選択された放送局に関連する周波数に同調するために、前記装置に含まれる周波数チューナと通信する。それ故、表示される放送局はもはや、一般的な「周波数軸」とは結合されない。
【００５１】
上述の実施例は本発明を限定するものではなく説明するものであって、当業者は添付する請求項の範囲から逸脱することなく多くの代替実施例を設計することが可能であろうことは留意されるべきである。請求項において、括弧に挟まれたいずれの参照記号も、請求の範囲を限定するものとして解釈されるべきではない。「有する（comprise）」なる語は、請求項に記載されたもの以外の要素又はステップの存在を除外するものではない。本発明は、幾つかの別個の要素を有するハードウェアによって、及び適切にプログラムされたコンピュータによって実装されても良い。幾つかの手段を列記した装置請求項において、これら手段の幾つかは同一のハードウェアのアイテムによって実施化されても良い。特定の手段が相互に異なる従属請求項に列挙されているという単なる事実は、これら手段の組み合わせが有利に利用されることができないことを示すものではない。
【図面の簡単な説明】
【００５２】
【図１】装置に実装される本発明によるユーザインタフェースを示す。
【図２】カーラジオにおける図１によるユーザインタフェースの実装例を示す。
【図３】カーラジオにおける図１によるユーザインタフェースの他の実装例を示す。
【図４】装置に実装されるユーザインタフェースにおいて実行される、本発明による方法を示す。
【図１】
2009503639.tif 000003
【図２】
2009503639.tif 000004
【図３】
2009503639.tif 000005
【図４】
2009503639.tif 000006
【国際調査報告】
2009503639.tif 000007
2009503639.tif 000008
2009503639.tif 000009